(57)【特許請求の範囲】
【請求項１】
曲がり癖が形成された少なくとも３本の独立した弾性ワイヤを前後両端で結束することにより全体として膨らんだ形状に形成されたバスケット、を有する内視鏡用ワイヤループ型処置具において、
上記各弾性ワイヤの断面形状が偏平であってその偏平面が平面であり、上記複数の偏平弾性ワイヤが、前後両端の結束部において各々その本数分の正多角形状に互いに結合されて、上記各偏平弾性ワイヤが偏平面に対して垂直の方向に膨縮することにより、上記バスケットが全体として均等な方向に膨縮するように形成されていることを特徴とする内視鏡用ワイヤループ型処置具。
【請求項２】
上記偏平弾性ワイヤが超弾性合金材によって形成されている請求項１記載の内視鏡用ワイヤループ型処置具。
【請求項３】
上記バスケットが可撓性シースの先端内に出入り自在に配置されていて、上記可撓性シース内に進退自在に配置された操作ワイヤの先端に上記複数の偏平弾性ワイヤの後端結束部が連結されている請求項１又は２記載の内視鏡用ワイヤループ型処置具。
【発明の詳細な説明】
【０００１】
【発明の属する技術分野】
この発明は、内視鏡の処置具挿通チャンネルに挿通して使用されるバスケット型回収具や高周波スネア等のような内視鏡用ワイヤループ型処置具に関する。
【０００２】
【従来の技術】
内視鏡用ワイヤループ型処置具のループは一般に、断面形状が円形又は正多角形の複数の弾性ワイヤに曲がり癖を形成してそれらを前後両端で結束することにより、全体として膨らんだ形状になるように形成されている。
【０００３】
【発明が解決しようとする課題】
しかし、断面形状が円形又は正多角形の弾性ワイヤは弾性変形するに際して方向性を有していないので、例えば粘液の付着等のような僅かな外力（抵抗）の作用によって所望の方向に膨縮しなくなり、目的物の捕獲に手間取ってしまう場合が少なくない。
【０００４】
そこで本発明は、ループを形成する弾性ワイヤが常に所望の方向に膨縮して、ポリープ等のような目的物を容易かつ確実に捕獲することができる内視鏡用ワイヤループ型処置具を提供することを目的とする。
【０００５】
【課題を解決するための手段】
上記の目的を達成するため、本発明の内視鏡用ワイヤループ型処置具は、曲がり癖が形成された複数の弾性ワイヤが前後両端で結束されて全体として膨らんだ形状に形成されたループを有する内視鏡用ワイヤループ型処置具において、ループを、断面形状が偏平な複数の偏平弾性ワイヤにより形成して、各偏平弾性ワイヤが偏平面に対して垂直の方向に膨縮するようにしたものである。
【０００６】
なお、ループが３本以上の偏平弾性ワイヤからなるバスケットであり、それらの偏平弾性ワイヤが、両端結束部の少なくとも一方においてその本数分の正多角形状に結合されて、バスケットが全体として均等な方向に膨縮するように形成されていてもよい。
【０００７】
また、ループが３本以上の偏平弾性ワイヤからなるバスケットであり、それらの偏平弾性ワイヤが、両端結束部の少なくとも一方において重ね合わせて結束されると共に、その結束部の近傍において適宜の偏平弾性ワイヤが捩じられて、バスケットが全体として均等な方向に膨縮するように形成されていてもよい。
【０００８】
或いは、ループが２本の偏平弾性ワイヤからなるスネアループであり、それらの偏平弾性ワイヤが、両端結束部の少なくとも一方において重ね合わせて結束されていてもよい。
【０００９】
なお、偏平弾性ワイヤが超弾性合金材によって形成されていると、偏平弾性ワイヤが塑性変形し難くてスムーズに膨縮する。
【００１０】
【発明の実施の形態】
図面を参照して本発明の実施例を説明する。
図１は、本発明の第１の実施例の内視鏡用ワイヤループ型処置具の先端部分を示しており、経内視鏡的に異物回収を行うための内視鏡用バスケット型回収具に本発明を適用したものである。
【００１１】
１は、図示されていない内視鏡の処置具挿通チャンネルに挿脱される外径が２ｍｍ程度で長さが１〜２ｍ程度の可撓性シースであり、例えば四フッ化エチレン樹脂チューブによって形成されている。
【００１２】
ただし、本発明は、可撓性シース１を省略して、後述するバスケット１０又はスネアループ２０等のループを内視鏡の処置具挿通チャンネルに直接挿脱するようにした処置具にも適用することができる。
【００１３】
可撓性シース１内には、例えばステンレス鋼撚り線等からなる操作ワイヤ２が軸線方向に進退自在に挿通配置されていて、可撓性シース１の基端側に連結された操作部（図示せず）からの操作によって進退操作される。
【００１４】
操作ワイヤ２の先端には、４本の偏平弾性ワイヤ１１によって全体として膨らんだかご状に形成されたバスケット１０の後端部が、金属製の接続パイプ４を介して銀ロー付け等によって連結されている。
【００１５】
バスケット１０を形成する偏平弾性ワイヤ１１は、例えば正円形の断面形状のステンレス鋼線材を圧延して、図２に示されるように偏平状に押しつぶして形成されており、その偏平率（Ｗ／Ｔ）は２程度である。ただし、偏平率（Ｗ／Ｔ）は１．３〜３程度の範囲にあればよい。なお、図２以外の各図においては、偏平率を誇張して図示してある。
【００１６】
各偏平弾性ワイヤ１１には、長手方向に対して直角の方向に偏平面に形成された折り曲げ部によって曲がり癖がつけられ、それによって、各偏平弾性ワイヤ１１が偏平面に対して垂直方向に膨らんだ形状に形成されている。
【００１７】
このように偏平弾性ワイヤ１１を用いると、折り曲げを一平面上で小さなばらつき角度で容易に行うことができるメリットがある。
【００１８】
バスケット１０の先端部分では、４本の偏平弾性ワイヤ１１の先端部分が金属製の先端結束パイプ５内に差し込まれ、そこで銀ロー付け等により結束、固着されている。
【００１９】
図３は、バスケット１０の先端部分１２から先端結束パイプ５を取り除いた状態を示しており、四本の偏平弾性ワイヤ１１の先端縁が正方形をなすように結合されている。また、バスケット１０の後端の接続パイプ４内においても、偏平弾性ワイヤ１１の後端が同様の状態に結合されている。
【００２０】
このようにすることにより、バスケット１０を構成する４本の偏平弾性ワイヤ１１の偏平面が９０°ずつ向きを変えて配置された状態で、偏平弾性ワイヤ１１の前後両端を確実に結束することができる。
【００２１】
なお、図３においては対向する一対の偏平弾性ワイヤ１１の間にもう一対の偏平弾性ワイヤ１１が挟み込まれた状態に配列されているが、図４に示されるように四本の偏平弾性ワイヤ１１を均等に（回転対称に）配置して正方形状にしてもよい。
【００２２】
また、バスケット１０を構成する偏平弾性ワイヤ１１の数が３本の場合には、偏平弾性ワイヤ１１の端部を正三角形状に結合させ、５本又は６本の場合は正五角形又は正六角形状に結合させればよい。
【００２３】
このように構成された実施例の内視鏡用ワイヤループ型処置具においては、操作ワイヤ２を手元側から進退操作することにより、バスケット１０が可撓性シース１の先端内に出入りする。
【００２４】
そして、バスケット１０が、可撓性シース１内に引き込まれた状態では偏平弾性ワイヤ１１が弾性変形して可撓性シース１内で窄まり、可撓性シース１から押し出された状態では、図１に示されるように偏平弾性ワイヤ１１の弾性によって元の自然形状に膨らむ。
【００２５】
その際に、バスケット１０を形成する偏平弾性ワイヤ１１は、弾性変形するに際して偏平面と垂直の方向にのみ容易に変形する強い方向性を有しているので、粘液の付着等があっても弾性変形の方向には影響がない。
【００２６】
したがって、バスケット１０が可撓性シース１内に出し入れされると、バスケット１０は、各偏平弾性ワイヤ１１が常に９０°ずつ相違する方向に均等に膨縮し、ポリープ等のような目的物を容易かつ確実に捕獲することができる。
【００２７】
なお、偏平弾性ワイヤ１１を例えばニッケル−チタン合金等からなるいわゆる超弾性合金材により形成すれば、塑性変形することなく非常にスムーズに膨縮する。
【００２８】
図５は、本発明の参考例の内視鏡用バスケット型回収具であって、第１の実施例と同様の先端結束パイプ５がバスケット１０の先端部分１２から取り外された状態を示している。
【００２９】
この参考例においては、バスケット１０を形成する全ての偏平弾性ワイヤ１１の先端部分が各々の偏平面で重ね合わされた状態に結束され、そこに第１の実施例と同様の先端結束パイプ５が取り付けられて一体に固着されている。
【００３１】
そして、図６に示されるように、適宜の偏平弾性ワイヤ１１が結束部分の近傍において捩じられて、各偏平弾性ワイヤ１１が４本の場合は９０°（３本の場合は１２０°）ずつ相違する方向に均等に膨縮するようになっている。
【００３２】
本発明の内視鏡用ワイヤループ型処置具においては、バスケット１０の前後両端の少なくとも一方において、複数の偏平弾性ワイヤ１１の端部を第１の実施例のように偏平弾性ワイヤ１１の数に対応する正多角形状に結合させることにより、複数の偏平弾性ワイヤ１１の端部を安定した状態に結束固定することができる。
【００３３】
図７は、本発明の他の参考例の内視鏡用ワイヤループ型処置具の先端部分を示しており、ポリープ等を緊縛して切断するための内視鏡用スネアに本発明を適用したものである。
【００３４】
この参考例においては、バスケット１０に代えて２本の偏平弾性ワイヤ１１により全体として膨らんだスネアループ２０が形成され、各偏平弾性ワイヤ１１が１８０°相違する方向（即ち、一平面上）に膨縮するようになっている。
【００３５】
【発明の効果】
本発明によれば、曲がり癖が形成された複数の弾性ワイヤにより全体として膨らんだ形状に形成されたループを、断面形状が偏平な複数の偏平弾性ワイヤにより形成して、各偏平弾性ワイヤが偏平面に対して垂直な方向に膨縮するようにしたことにより、偏平弾性ワイヤが弾性変形をするに際して強い方向性を有するので、各弾性ワイヤが常に所望の方向に膨縮して、ポリープ等のような目的物を容易かつ確実にループ内に捕獲することができる。
【図面の簡単な説明】
【図１】  本発明の第１の実施例の内視鏡用バスケット型回収具の先端部分の斜視図である。
【図２】  本発明の第１の実施例の内視鏡用バスケット型回収具に用いられる偏平弾性ワイヤの断面図である。
【図３】  本発明の第１の実施例の内視鏡用バスケット型回収具における複数の偏平弾性ワイヤの結束部の一例の斜視図である。
【図４】  本発明の第１の実施例の内視鏡用バスケット型回収具における複数の偏平弾性ワイヤの結束部の他の例の斜視図である。
【図５】  本発明の参考例の内視鏡用バスケット型回収具の先端部分の斜視図である。
【図６】  本発明の参考例の内視鏡用バスケット型回収具に用いられる偏平弾性ワイヤの部分斜視図である。
【図７】  本発明の他の参考例の内視鏡用スネアの先端部分の斜視図である。
【符号の説明】
１  可撓性シース
２  操作ワイヤ
４  接続パイプ
５  先端結束パイプ
１０  バスケット（ループ）
１１  偏平弾性ワイヤ
２０  スネアループ（ループ）
【図１】
0004723104.tif 000002
【図２】
0004723104.tif 000003
【図３】
0004723104.tif 000004
【図４】
0004723104.tif 000005
【図５】
0004723104.tif 000006
【図６】
0004723104.tif 000007
【図７】
0004723104.tif 000008